(57)【特許請求の範囲】
【請求項１】
表示板の表示面の中心点位置に主たるランプを納める凹窪を穿ち、中心点を通る垂直線上若しくは水平線上に中心点から所定間隔を置いて少なくとも１個の修正用のランプを修める凹窪を穿ち、これらの各凹窪は表示面側へ径を小さくするテーパを設け、前記主たるランプ及び修正用のランプを表示板の表示面から２〜５ｍｍの深さに引き込め位置させてそれぞれの凹窪に設置するとともに前記表示板の表示面を黒色に施色し、２００ｍの距離から前記主たるランプ及び修正用のランプを個々に視認可能な構成としたことを特徴とするトランシットのターゲット。
【請求項２】
表示板の表示面の中心点位置に主たるランプを納める凹窪を穿ち、中心点を通る垂直線上及び水平線上に中心点から所定間隔を置いて少なくとも１個の修正用のランプを修める凹窪を穿ち、これらの各凹窪は表示面側へ径を小さくするテーパを設け、前記主たるランプ及び修正用のランプを表示板の表示面から２〜５ｍｍの深さに引き込め位置させてそれぞれの凹窪に設置するとともに前記表示板の表示面を黒色に施色し、２００ｍの距離から前記主たるランプ及び修正用のランプを個々に視認可能な構成としたことを特徴とするトランシットのターゲット。
【発明の詳細な説明】
【０００１】
【発明の属する技術分野】
本発明は、埋設管を、配管の計画線上に、土中へ推進させて埋設する非開削の地中配管工法に使用する測量装置、特に、推進ヘッド内部に設備したターゲットの発光体の光を直視する方法で測量するトランシットのターゲットに関するものである。
【０００２】
【従来の技術】
近年、電話線，電気線等の埋設管や下水道管の埋設工事において、交通事情、近隣の住民感情などにより、地表面を開削して管を埋設する工法に代えて、配管の計画線上に所定の間隔距離を置いて発進立坑と到達立坑を設け、埋設管を発進立坑から到達立坑へ土中の中を推進させて発進立坑と到達立坑の間に配管する非開削の地中配管工法が知られている。
【０００３】
前記非開削の地中配管工法には、一工程推進工法と仮管二工程推進工法に大別され、前記一工程推進工法により小口径管を敷設する推進装置として、種々の機器及び施工法があるが、そのうちの一つに、埋設管を土中に押圧推進する推進機、埋設管の中にセットする排土用のスクリュウコンベア、及び内部に測量用のターゲットを内蔵する推進ヘッド等の機器から構成され、スクリュウコンベアを埋設管の中にセットし、前記推進ヘッドを最先となるスクリュウコンベアの先端に取り付けて、前記推進ヘッドを先頭にしてスクリュウコンベアをセットした埋設管を推進機により発進立坑から地中へ突き押し推進させ、前記スクリュウコンベアは両端を貫通する管軸になり、推進機の後ろからスクリュウコンベアの内筒を通してトランシットで、推進ヘッドに備えるターゲットの発光体の光を直視することにより推進方向を計画中心線に一致するように修正しながら、埋設管を順次継ぎ足して到達立坑へ到達させ、発進立坑と到達立坑との間に埋設管を敷設する推進装置及び施工方法が良く知られている。
【０００４】
また、仮管二工程推進工法は、一工程目で、先端に推進ヘッドを取り付けて、その後に順次リードパイプを継ぎ足しながら発進立坑から到達立坑まで圧入推進し、前記推進ヘッドには測量用のターゲットが内蔵されていて、リードパイプの推進中は、トランシットにより推進機の後ろからリードパイプの内管を通して推進ヘッドに装備されたターゲットの発光体の光を直視することにより、推進方向を計画中心線に一致するように修正しながら、到達立坑へ推進させ、到達精度を確認した後、二工程目では、リードパイプをパイロットとして、リードパイプの最後部に、回転ジョイントを有するカッターヘッドを接続して掘削を行い、埋設管にセットしたスクリュウコンベアで土砂を発進側へ搬送しながら埋設管を継ぎ足して掘削推進させて到達立坑へ到達させ、発進立坑と到達立坑との間に埋設管を敷設する工法が知られている。
【０００５】
前記非開削の一工程又は仮管二工程推進工法において、トランシットにより、ターゲットの動きを目視により常に監視し、ターゲットの中心点が常にトランシット十字線から外れないように方向修正を小刻みに繰り返し行われる。この方向修正操作は、一工程推進工法ではスクリュウコンベアを通して、又、仮管二工程推進工法ではリードパイプの内管を通して、それぞれの推進ヘッドに内蔵するターゲットの複数の発光体の光が長距離に亘って明確に直視可能でなければならない。
【０００６】
しかしながら、従来のこの種の、推進ヘッドに備えるトランシットのターゲットは、図７の（イ）及び（ロ）に示すように、表示板（ａ）の表面（ｂ）の中心点位置に、発光体であるランプ（ｃ）を設け、表示面（ｂ）の中心点を通る垂直線上に所定間隔を置いて修正用のランプ（ｄ）を設け、或いは中心点を通る水平線上に所定間隔を置いて修正用のランプ（ｄ）が設けられ、これらのランプ（ｃ）及び（ｄ）は表示板（ａ）の表示面（ｂ）の上に突き出た状態で設置され、また、表示板（ａ）の表示面（ｂ）は、黒色以外の材料の色のままになっている。例えば、多くは材木或いは合成樹脂の色がそのまま表れている。
【０００７】
このような構造の従来のターゲットでは、５０〜１００ｍの距離では、ターゲットの表示面に設けられた複数の発光体、即ち複数のランプ（ｃ）及び（ｄ）が個々に明確に区別されて視認することができても、１００ｍを超えるような長距離では、発光体の光が拡散し、また、発光体の光が表示面に反射したりして、ぼやけて複数のランプが一つに見えるようになって、個々のランプを明確に区別して視認しづらくなってしまい、その結果、推進ヘッドの正確な位置を測量することが不可能になり、正しい推進方向の修正が不可能となっている。それ故に、推進機は２００ｍ以上の推進性能を有していても、測量器、特に、トランシットの目標表示装置であるターゲットとしてこのような長距離の観測が不可能となるため、推進工法の発進立坑と到達立坑の間の距離が１００ｍ以内にとどめられているのが現状である。ちなみに立坑を１個構築する費用は莫大な費用と時間が掛かるので、推進距離を伸ばすことは、配管費用を著しく節約し、工期を短縮する。しかも、工事条件によっては、２００ｍの距離を開削できないような条件の個所が増加している今日では、２００ｍに非開削工事を可能とする測量器の出現が待たれているところである。
【０００８】
【発明が解決しようとする課題】
本発明は上記の課題に鑑みてなされたものであって、その目的とするところは、発光体、即ちランプの光の拡散を抑えると共に表示板の表示面に反射する全ての光を吸収して複数のランプの光がそれぞれ個々に明確に視認できるようにしたトランシットのターゲットを提供することにある。
【０００９】
【課題を解決するための手段】
上記目的を達成するために、本発明に係るトランシットのターゲットは、表示板の表示面の中心点位置に主たるランプを納める凹窪を穿ち、中心点を通る垂直線上若しくは水平線上に中心点から所定間隔を置いて少なくとも１個の修正用のランプを修める凹窪を穿ち、これらの各凹窪は表示面側へ径を小さくするテーパを設け、前記主たるランプ及び修正用のランプを表示板の表示面から２〜５ｍｍの深さに引き込め位置させてそれぞれの凹窪に設置するとともに前記表示板の表示面を黒色に施色し、２００ｍの距離から前記主たるランプ及び修正用のランプを個々に視認可能な構成としたことを特徴とする。
【００１０】
本発明に係るトランシットのターゲットは、表示板の表示面の中心点位置に主たるランプを納める凹窪を穿ち、中心点を通る垂直線上及び水平線上に中心点から所定間隔を置いて少なくとも１個の修正用のランプを修める凹窪を穿ち、これらの各凹窪は表示面側へ径を小さくするテーパを設け、前記主たるランプ及び修正用のランプを表示板の表示面から２〜５ｍｍの深さに引き込め位置させてそれぞれの凹窪に設置するとともに前記表示板の表示面を黒色に施色し、２００ｍの距離から前記主たるランプ及び修正用のランプを個々に視認可能な構成としたことを特徴とするこもできる。
【００１１】
【発明の実施の形態】
本発明の実施の形態について図面を参照して説明する。図１は本発明の地中配管工法に使用する推進機の概略図、図２は発進立坑から埋設管を到達立坑へ向けて推進する状態を示す工程図で、推進機１は駆動本体２を油圧ジャッキ３によりベッド４の上を前進後退自在せしめてなり、スクリュウコンベア５を埋設管６の中にセットし、最先となるスクリュウコンベア５の先端に推進ヘッド７を取り付けて、この推進ヘッド７を先頭にして、スクリュウコンベア５をセットした埋設管６を推進機１の油圧ジャッキ３で押圧して、図２に示すように、発進立坑Ａから地中へ突き押し推進させ、そして、スクリュウコンベア５をセットした埋設管６を順次継ぎ足しながら到達立坑Ｂに向けて土中を推進させる。
【００１２】
前記推進機１の後方には、測量器、即ち、トランシット８が据え付けてあり、前記推進ヘッド７にはトランシット８のターゲット９を内蔵してあり、前記スクリュウコンベア５は両端を貫通する中空軸になり、そして、推進機１の後部に据え付けたトランシット８により、スクリュウコンベア５の内筒を通して推進ヘッド７に備えたターゲット９の発光体の光を直視して推進位置を確認すると共に推進方向を計画中心線に一致するように修正しながらスクリュウコンベア５をセットした埋設管６を順次継ぎ足して土中へ押圧推進して到達立坑Ｂへ到達させ、図２の鎖線で示すように、推進ヘッド７を到達立坑Ｂで回収し、スクリュウコンベア５は発進立坑Ａの側で回収される。そして、発進立坑Ａと到達立坑Ｂとの間に埋設管６を敷設する。
【００１３】
前記ターゲット９は、図３に示すように電源、即ち乾電池１０を収納する筒本体１１と発光体を設けた表示板１２を納める先端筒１３から形成され、発光体は表示板１２の裏面に配線されたリード線１４を介して乾電池１０と電気接続するようになっている。
【００１４】
また、前記推進ヘッド７は、地中において方向修正ができるように先端が斜状に切断された斜切管が使用される。
【００１５】
本発明において、前記ターゲット９は、図４及び図５に示すように、前記表示板１２を所定の厚みを有する略円盤とし、表示面１５の中心点位置に主ランプ用の凹窪１６を穿って該凹窪１６に発光体、即ち主ランプ１７を設置し、また、中心点を通る垂直線上に、一定の間隔を置いて少なくとも１個の修正ランプ用の凹窪１８を穿って該凹窪１８に修正用ランプ１９を設置し、前記主ランプ１７及び修正用ランプ１９の先端が表示板１２の表示面１５から所定距離、即ち約２〜５ｍｍ程度引き込み位置させて各凹窪１６，１８の中に設置し、前記表示板１２の表示面１５の全体面を黒色で施色せしめて構成する。
【００１６】
前記修正用のランプ１９は、中心点を通る垂直線上に設けたが、必ずしもこれに限定するものではなく、垂直線上と水平線上に設置しても良く、または、中心点を通る所定角度で設けても良いことは勿論である。また、主ランプ１７及び修正用ランプ１９は発光ダイオードを使用するのが好ましい。
【００１７】
上記構成になるターゲット９は、各ランプ１７，１９をそれぞれ凹窪１６，１８の中に引き込ませて設置しているので、発光体の光の拡散或いは光の散乱が極力防止されて、光源から狭い範囲で直進する光線となって照らし、しかも、表示面１５に施色した黒色は、該表示面１５に反射する光の全ての成分を吸収して黒色に見えるので、各凹窪１６，１８の淵縁を、例えば２００ｍ以上の長距離からでも、コンベアスクリュウ５の内筒を通して、発光体、即ちランプ１７，１９の光をクッキリと表示することができ、複数のランプ１７，１９が個々に明確に視認できる（ことが実験の結果から確認された）。それ故に、直視能力を２００ｍ以上に向上し、その結果、２００ｍ以上の土中を計画中心線に一致するように方向修正しながら推進を可能にする。
【００１８】
主ランプ用の前記凹窪１６及び修正ランプ用の凹窪１８は、図６に示すように、表示面１５の側へ径が小さくなるように僅かなテーパ２０を設けることにより、各凹窪１６，１８の中のテーパ２０より奥側へ引き込み位置して設けられた各ランプ１７，１９の光の拡散が抑えられて、２００ｍ以上の長距離でも、テ−パの無い場合に比べて、各ランプ１７，１９が更に明確に区別されて視認できる（ことが実験の結果から確認された）。
【００１９】
尚また、本発明の実施の形態において、推進ヘッド７は、埋設管６にセットしたスクリュウコンベア５に接続して一工程推進工法によって説明したが、これに限定するものではなく、推進ヘッドをリードパイプに接続する仮管二工程推進工法にも使用すること勿論である。
【００２０】
【発明の効果】
本発明は上記のような構成になるので、ランプ、即ち、発光体を表示板の表示面より引き込み位置させて発光体の光の拡散を抑えると共に表示板の表示面に反射する全ての光の成分を吸収して、２００ｍ以上の距離から複数の発光体がそれぞれ個々に明確に視認できるようにし、測量器の直視能力を２００ｍ以上に向上させたトランシットのターゲットを提供する。それ故、発進立坑と到達立坑の距離を少なくとも２００ｍの間隔で建設することを可能とし、その結果、工期を極端に短縮し、工費を著しく軽減することが可能となる等の効果を奏する。
【図面の簡単な説明】
【図１】  推進機の概略図である。
【図２】  スクリュウコンベアをセットした埋設管を発進立坑から到達立坑へ向けて推進する状態を示す工程図である。
【図３】  本発明のターゲットの縦断正面図である。
【図４】  本発明のターゲットの表示板の表示面を示す正面図である。
【図５】  本発明のターゲットの表示板の断面図である。
【図６】  本発明のターゲットの表示板の各凹窪にテーパを設けて示す断面図である。
【図７】  従来のターゲットを示し、（イ）は表示板の表示面を示す正面図であり、（ロ）は表示板の断面図である。
【符号の説明】
１      推進機
２      駆動本体
３      油圧ジャッキ
４      ベッド
５      スクリュウコンベア
６      埋設管
７      推進ヘッド
８      トランシット
９      ターゲット
１０    乾電池
１１    筒本体
１２    表示板
１３    先端筒
１４    リード線
１５    表示板
１６    凹窪
１７    主ランプ
１８    凹窪
１９    修正用のランプ
２０    テーパ
Ａ      発進立坑
Ｂ      到達立坑
【図１】
0004623409.tif 000002
【図２】
0004623409.tif 000003
【図３】
0004623409.tif 000004
【図４】
0004623409.tif 000005
【図５】
0004623409.tif 000006
【図６】
0004623409.tif 000007
【図７】
0004623409.tif 000008
0004623409.tif 000009